(57)【要約】【課題】自分の体重を利用して足裏のツボを押圧する従来の足裏マッサージ器と比較して、初めて使用した場合でも足裏に痛みを伴わない足裏マッサージ器を提供する。【解決手段】中央部に矩形の開口部を持つ凹部を有する踏み板の該凹部内に、少なくとも四個の、ゴルフボールと略等大の球体を団子状に連接したものを二列接合して格納し、開口部上下の周縁に両足の爪先と踵部分を載せることで、足裏に加えられる刺激を調節可能とすると共に、一般的な足裏マッサージ器に用いられる押圧突起と比較して大きめの突起を間隔なしに連接することで、体重をかけたときの痛みを緩和させ、心地よい刺激を受けうるようにした。【選択図】図１
0003194677.tif 000002
【実用新案登録請求の範囲】
【請求項１】
中央部に、平面視した押圧体と略等大・同形で矩形状の開口部を持つ凹部を有する踏み板と、
前記凹部に本体厚み方向の一部が格納される、少なくとも四個の、ゴルフボールと略等大の球体を団子状に連接したものを２本、それぞれの球体頂部同士を接合して２列とした前記押圧体と、
を備えることを特徴とする足裏マッサージ器
【請求項２】
前記踏み板が、
略矩形平板からなる基台と、
該基台の上部に重ねられ、該基台と外周形状及び大きさが同一で、前記凹部の開口部と大きさ・形状が同一の貫通部を有する枠体と、
前記基台と前記枠体とを容易に分離可能に結合する結合手段と、
から成ることを特徴とする請求項１に記載の足裏マッサージ器
【請求項３】
前記枠体が、枠体本体と、前記枠体の見かけ上の厚さを増すために前記基台と前記枠体本体の間に挿入され、前記枠体本体と外周形状及び大きさが同一で、貫通部の形状・大きさが同一の枠形から成ることを特徴とする請求項２に記載の足裏マッサージ器
【請求項４】
前記凹部の底面、または前記基台の上面で且つ前記枠体または前記枠形の貫通部部分に、容易に交換可能な態様で前記底面または前記貫通部部分と大きさ及び形状が略同一で厚さが３ミリ乃至６ミリの板状弾性体から成るマットを敷いたことを特徴とする請求項１から３のいずれか１項に記載の足裏マッサージ器。
【考案の詳細な説明】
【技術分野】
【０００１】
本考案は、体重を利用して足裏のツボを押圧する足裏マッサージ器に関するものである。
【背景技術】
【０００２】
足裏のツボを刺激してマッサージ効果を得る器具として、従来、多数の突起を配置した板状のマッサージ器が種々知られている。
しかし、これらのマッサージ器は、突起上面の曲率が大きく、また、突起間の間隔が広いものが多かったため、初めて使用したときの刺激が強すぎて継続して使用されることはまれであった。
【先行技術文献】
【特許文献】
【０００３】
【特許文献１】実登第３１６６８８９号公報
【特許文献２】特許第３８０３６８５号公報
【考案の概要】
【考案が解決しようとする課題】
【０００４】
本考案はこれらの事情を鑑みて、使用当初はソフトな使用感を得ることができると共に、慣れるにしたがってより強い刺激を得ることが可能なマッサージ器を提供しようとするものである。
【課題を解決するための手段】
【０００５】
上記課題を解決するために、本考案の足裏マッサージ器は、中央部に、平面視した押圧体と略等大・同形で矩形状の開口部を持つ凹部を有する踏み板と、前記凹部に、本体厚み方向の一部が格納される、少なくとも四個の、ゴルフボールと略等大の球体を団子状に連接したものを２本、それぞれの球体頂部同士を接合して２列とした前記押圧体と、を備えることを特徴とする。
【０００６】
このような構造とすることにより、従来の足裏マッサージ器と異なり、施療者はすべての体重を突起にかける必要はなく、体重のかなりの部分を前記凹部前後の縁に載せた両足の爪先と踵にかけることで、痛みを伴う強い刺激を回避することができる。
また、突起の上面の曲率をゴルフボールの曲率と同程度とすると共に、突起の間隔もゴルフボールを連接した程度とすることで、ほどよい刺激と心地よさが得られるのみならず、足を前後左右に移動するだけで、足裏の強い押圧部を移動することが可能になる。
【０００７】
また、請求項２に係る考案のように、踏み板を、略矩形平板からなる基台と、該基台と外周形状及び大きさが同一で、前記凹部の開口部と大きさ・形状とも同一の貫通部を有する枠体とに容易に分離・結合可能とすることで、厚さの異なる枠体を２・３用意して、慣れるにしたがって厚さの薄い枠体に取り替えたり、請求項３に係る考案のように使用当初は基台と枠体本体の間に該枠体本体と外周形状及び大きさが同一で、貫通部の形状及び大きさが同一の枠形を併設しておき、慣れるにしたがって該枠形を取り外すようにすれば、枠体上面から前記押圧体が突出する高さを段階的に増すことが可能になり、より強いマッサージ効果の得られる足裏マッサージ器とすることができる。
【０００８】
更に、請求項４に係る考案のように、請求項１に記載の凹部底面または前記基台の上面で且つ前記枠体または前記枠形の貫通部部分に、容易に交換可能な態様で板状弾性体からなるマットを敷いたり、更にその下に平板を挿入することで、凹部から突出する突起の突出高を調節すると共に、個々の球体突起の高さが足裏から受ける力により自動調節されるようにすることができる。
【考案の効果】
【０００９】
本考案の足裏マッサージ器によれば、従来のものと異なり、使用初期の段階で生じる苦痛をほとんどなくすことができ、使用当初から心地よい使用感を得ることが可能になる。また、慣れるにしたがって手軽に刺激を増すこともでき、長期間にわたって継続して使用されることが期待できる。
【図面の簡単な説明】
【００１０】
【図１】図１は請求項２に係る足裏マッサージ器の斜視図である。
【図２】図２は請求項２に係る足裏マッサージ器の平面図である。参考に施療者の足裏を記載した。
【図３】図３は図２のA-A断面図である。
【図４】図４は図２のB-B断面図である。参考に施療者の足を記載した。
【図５】図５は団子状に連接した６個のゴルフボールを２列接合した押圧体の斜視図である。
【図６】図６は請求項３に係る足裏マッサージ器の斜視図である。
【図７】図７は基台と枠体を重ね合わせてできる踏み板の貫通部底面に置かれる弾性マットの斜視図である。
【図８】図８は基台の斜視図である。
【図９】図９は枠体の斜視図である。
【図１０】図１０は基台と枠体本体の間に、枠体本体に併設して設ける貫通部を有する枠形である。
【図１１】図１１は請求項２に記載の基台と枠体の結合機構として、実施例とは別の方法を示した図である。
【考案を実施するための形態】
【００１１】
以下、本考案の実施形態の１つを図面に基づいて説明する。
図１は、本考案の足踏みマッサージ器全体を表した斜視図であり、踏み板は基台１と枠体２に分割できる。請求項２に係る結合機構の一例として図８及び図９に示すように基台１の４隅には突起１１を設け、枠体２の対応する４隅には基台上の突起と緩く嵌合する嵌合孔２１１を設けてある。
【００１２】
押圧体３は、６個のゴルフボールを団子状に連接したものを２列接合した図５に示した構造を有する。本実施例ではゴルフボール同士の接合手段として、配列したゴルフボール全体を熱収縮性プラスチックフィルムで包んで軽く固定するようにしたが、それぞれのゴルフボールの側面に直交する２個の貫通孔を設け、この貫通孔に数十本の撚った鋼線を通して結合しても良い。これにより、隣り合うボールが１ミリ程度上下にずれることが可能になる。更に全体を模様入り布製袋などに収納すると見た目や感触の点でもなおよい。
【００１３】
押圧体３は、本実施例では６個のゴルフボールを団子状に連接したものを２列結合したものとしたが、団子状に連接するゴルフボールの数は６個に限定するものではない。６個とすると両足の位置を左右に移動することで、刺激を与える足裏の位置を決めやすくなるが、４乃至５個であっても十分目的を達成可能であり、小型化できるメリットがある。もちろん６個を超えるものであっても良い。また、列数も２列に限定するものではないが、程よい刺激を得るには２列とするのが最良である。
【００１４】
図１等に示したように枠体２の外周上辺は、丸面で面取りした。図２の平面図に表したように、枠体２の貫通部と基台上面によってできる踏み板凹部が、押圧体３の高さ方向６割程度が格納できる深さとなるように、枠体２の厚さを決める。
これにより、踏み板凹部底面に図７に表した弾性マット４を敷いたとき、図２のＡ−Ａ断面を表した図３のように、上記押圧体３が枠体２の上面より押圧体３の高さの５割程度突出することになる。図２の平面図に表したように、施療者は足裏を押圧体３上に載せ、爪先と踵を枠体２の上面上に掛けるようにする。
【００１５】
基台１と枠体２は、上記のように基台１に設けた突起１１と枠体２に設けた嵌合孔２１１によってずれない程度に重ね合わせてあり、高さの異なる枠体を数個用意しておき、これらを取り替えることにより、枠体上面から突出する押圧体３の突出高を変えることができ、これにより、使用しはじめは足裏に加える力を弱めにすることを可能とした。
【００１６】
また、同様な効果を得られるものとして、図６に表したように、枠体本体２１の高さを押圧体３の６乃至７割程度が枠体本体２１上面から突出する程度の厚さとして、請求項３に記載の考案ように、使用当初は基台１と枠体本体２１の間に前記枠体本体と外周形状及び大きさが同一で、貫通部の形状及び大きさが同一の枠形２２を併設しておき、慣れるにしたがって前記枠形を取り外すことで、枠体上面から前記押圧体３が突出する高さを段階的に増すことで、より強いマッサージ効果の得られる足裏マッサージ器とすることができる。
【００１７】
また、基台１と枠体貫通部によってできる凹部の底には、図３または図４の断面図に表したように、図７に表した厚さ４ミリのゴム板から成るマット４を敷いてある。ゴム板の弾性率は、押圧体３上に施療者が直立したとき、個々のゴルフボールとゴム板の接触面で最大１ミリ程度沈むように選定するのがよい。ゴム板の厚さは上記の場合に限る必要はないが、耐用期間や弾力を考慮すると４ミリ程度が最良である。
【００１８】
更に、上記マット４と同一形状の平板を複数枚用意しておき、該マットの下に敷くことで、押圧体３の突出高を調整することができる。平板は１乃至２ミリ厚の軟質プラスチック板またはゴム板を用いるのがよい。
【００１９】
基台１の材質としては木質系の材料を用いたが、木質系に限定されるものではなく、硬質プラスチックを用いてもよいし、その他の材料を用いても良い。
枠体２の材質も木質系の材料を用いた。枠体２については、その上に素足で直接乗る場合を考慮して、熱伝導率の小さい材質を用いるのがよく、ゴムやプラスチックでも良いが木材が最も優れている。但し、木材は多孔質であるため汗などを吸収して汚れやすく、表面に塗装等の防湿処理を施すのがよい。なお、ポリウレタン等の軟質材を用いた場合は押圧力が若干増すので、これと硬質材を用いた枠体とを併用するとなお良い。
【００２０】
本実施例では、押圧体３としてゴルフボールを用いた。施療者自身の体重を利用して足裏に刺激を加えるものとして、ゴルフボール程度の表面曲率を持った球体が最も優れている。堅さの点でも適切であり、図には表していないが表面の浅い凹凸により、優れた心地よさが得られる。また、熱も比較的伝わりにくいため、素足で乗っても不快感は起こらない。
【００２１】
基台１と枠体２の結合機構として、本実施例では、基台１の４隅近傍に設けた突起と、この突起と緩く嵌合する枠体２の嵌合孔の例を示したが、結合機構は上記の場合に限らず、単に基台１と枠体２の４隅に面ファスナーを張っても良い。また、見栄えを考慮して、図１１に示すように、枠体２の周縁部が基台１を取り囲むように結合させることもできる。
【符号の説明】
【００２２】
１    踏み板の基台
２    踏み板の枠体
３    ゴルフボールを用いた押圧体
４    中敷きマット
５    施療者の足裏
１１  基台に設けた突起
２１  踏み板の枠体本体
２２  踏み板の枠体枠形
２３  基台囲み枠
２１１  枠体に設けた嵌合孔
２２１  枠形に設けた基台突起の貫通孔
【図１】
0003194677.tif 000003
【図２】
0003194677.tif 000004
【図３】
0003194677.tif 000005
【図４】
0003194677.tif 000006
【図５】
0003194677.tif 000007
【図６】
0003194677.tif 000008
【図７】
0003194677.tif 000009
【図８】
0003194677.tif 000010
【図９】
0003194677.tif 000011
【図１０】
0003194677.tif 000012
【図１１】
0003194677.tif 000013